【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】
車両の運転者を座席に拘束する、第１のシートベルトの張力を可変に調整する張力可変手段を有する第１のシートベルト装置と、
前記運転者以外の乗員を座席に拘束する、第２のシートベルトの張力を可変に調整する張力可変手段を有する第２のシートベルト装置と、
前記車両の衝突を予知し、衝突の可能性に応じた衝突予知信号を出力する衝突予知部と、
前記車両の衝突を検知し、衝突信号を出力する衝突検出部と、
前記第１のシートベルト装置と対応する位置に設けられ、バッグを展開して乗員を保護する第１のエアバッグ装置と、
前記第２のシートベルト装置と対応する位置に設けられ、バッグを展開して乗員を保護する第２のエアバッグ装置と、
前記衝突信号に対応して前記第１及び前記第２のエアバッグ装置を作動させ、前記衝突予知信号に対応して前記第１及び前記第２のシートベルト装置の各張力可変手段を作動させると共に、少なくとも、前記第１及び前記第２のシートベルトの張力の制御を異なる態様で行う制御部と、
を備えるシートベルトシステム。
【請求項２】
各張力可変手段はシートベルトの張力を可変に調整する第１及び第２の張力可変機構からなり、
前記制御部が前記衝突予知信号によって衝突の回避が困難であることを判別したとき、前記第１及び前記第２のシートベルト装置の各第１の張力可変機構を動作させて各シートベルトの張力を上昇させ、かつ、前記第１のシートベルト装置の張力を前記第２のシートベルト装置の張力よりも相対的に小さくなるように制御する、請求項１に記載のシートベルトシステム。
【請求項３】
各張力可変手段はシートベルトの張力を可変に調整する第１及び第２の張力可変機構からなり、
前記制御部が前記衝突予知信号によって衝突の可能性があるが、衝突回避操作が可能であることを判別したとき、前記第１のシートベルト装置の前記第１の張力可変機構によって前記第１のシートベルトの張力を振動的に変化させ、前記第２のシートベルト装置の前記第１の張力可変機構によって前記第２のシートベルトの張力を増大させる、請求項１に記載のシートベルトシステム。
【請求項４】
前記第２のシートベルト装置の前記張力可変手段はシートベルトの張力を可変に調整する第１及び第２の張力可変機構からなり、
前記第２のシートベルト装置によって拘束される乗員の着座位置を検出する位置検出手段を更に備え、
前記制御部が前記衝突予知信号によって衝突の回避が困難であることを判別し、かつ、前記乗員の着座位置の検出により前記第２のエアバッグ装置の開口部への前記乗員の接近を判別したとき、前記第２のシートベルト装置の前記第１の張力可変機構を前記乗員を座席に引戻し得るベルト張力で作動させる、請求項１に記載のシートベルトシステム。
【請求項５】
前記第１の張力可変機構はモータによって前記シートベルトを引込み側あるいは送出し側に駆動する構成を含み、前記第２の張力可変機構は膨張ガスの圧力によって前記シートベルトを瞬時に引込む構成を含む、請求項２乃至４のいずれかに記載のシートベルトシステム。
【請求項６】
前記第１及び第２の張力可変機構は前記シートベルトの一端を巻取る、車体若しくは座席に取付けられるリトラクタに設けられる、請求項２乃至４のいずれかに記載のシートベルトシステム。
【請求項７】
前記第１の張力可変機構は前記シートベルトの一端を巻取る、車体若しくは座席に取付けられるリトラクタに設けられ、前記第２の張力可変機構は前記シートベルトが挿通するタングプレートと係合するバックル部に設けられる、請求項２乃至５のいずれかに記載のシートベルトシステム。
【請求項８】
前記第２の張力可変機構は前記シートベルトの一端を巻き取るリトラクタに設けられ、該リトラクタには指令信号に応じて前記シートベルトの引出しをロック可能な強制ロック機構が設けられる、請求項２乃至５のいずれかに記載のシートベルトシステム。
【請求項９】
前記第１の張力可変機構は前記シートベルトの一端を巻き取るリトラクタに、前記第２の張力可変機構は前記シートベルトの他端部を車体に固定するラップベルト固定部に設けられる、請求項２乃至５のいずれかに記載のシートベルトシステム。
【請求項１０】
前記第２の可変張力機構は前記シートベルトの一端を巻き取るリトラクタに設けられ、該リトラクタには指令信号に応じて前記シートベルトの引出しをロックする強制ロック機構が設けられ、前記第１の張力可変機構は前記シートベルトの他端部を車体に固定するラップベルト部に設けられる、請求項２乃至５のいずれかに記載のシートベルトシステム。
【請求項１１】
前記第１の張力可変機構及び前記第２の張力可変機構は前記シートベルトが挿通するタングプレートと係合するバックル部に設けられ、前記リトラクタには指令信号に応じてシートベルトの引出しをロックする強制ロック機構が設けられる、請求項２乃至５のいずれかに記載のシートベルトシステム。
【請求項１２】
前記第１の張力可変機構及び前記第２の張力可変機構はラップベルト固定部に設けられ、リトラクタには指令信号に応じてシートベルトの引出しをロックする強制ロック機構が設けられる、請求項２乃至５のいずれかに記載のシートベルトシステム。
【手続補正２】
【補正対象書類名】明細書
【補正対象項目名】０００９
【補正方法】変更
【補正の内容】
【０００９】
好ましくは、各張力可変手段はシートベルトの張力を可変に調整する第１及び第２の張力可変機構からなり、上記制御部が上記衝突予知信号によって衝突の回避が困難であることを判別したとき、上記第１及び上記第２のシートベルト装置の各第１の張力可変機構を動作させて各シートベルトの張力を上昇させ、かつ、上記第１のシートベルト装置の張力を上記第２のシートベルト装置の張力よりも相対的に小さくなるように制御する。
【手続補正３】
【補正対象書類名】明細書
【補正対象項目名】００１１
【補正方法】変更
【補正の内容】
【００１１】
好ましくは、各張力可変手段はシートベルトの張力を可変に調整する第１及び第２の張力可変機構からなり、上記制御部が上記衝突予知信号によって衝突の可能性があるが、衝突回避操作が可能であることを判別したとき、上記第１のシートベルト装置の上記第１の張力可変機構によって上記第１のシートベルトの張力を振動的に変化させ、上記第２のシートベルト装置の上記第１の張力可変機構によって上記第２のシートベルトの張力を増大させる。
【手続補正４】
【補正対象書類名】明細書
【補正対象項目名】００１３
【補正方法】変更
【補正の内容】
【００１３】
好ましくは、上記第２のシートベルト装置の上記張力可変手段はシートベルトの張力を可変に調整する第１及び第２の張力可変機構からなり、上記第２のシートベルト装置によって拘束される乗員の着座位置を検出する位置検出手段を更に備え、上記制御部が上記衝突予知信号によって衝突の回避が困難であることを判別し、かつ、上記乗員の着座位置の検出により上記第２のエアバッグ装置の開口部への上記乗員の接近を判別したとき、上記第２のシートベルト装置の上記第１の張力可変機構を上記乗員を座席に引戻し得るベルト張力で作動させる。
【手続補正５】
【補正対象書類名】図面
【補正対象項目名】図１０
【補正方法】変更
【補正の内容】
【図１０】
2001114069.tif 000001